(57)【特許請求の範囲】
【請求項１】
机等の被取付部に固定されるスタンド取付部と、
前記スタンド取付部に一端が可動可能に取りつけられたアーム部材と、
細長いランプを収納し且つ前記ランプの長手方向に沿って延びて前記ランプから放射された光を照射する開口部を備え、前記アーム部材の他端に可動取付機構を介して取付けられたセードとを具備する電気スタンドであって、
前記可動取付機構が、取付機構本体と、該取付機構本体を前記アーム部材の前記他端に対して取付ける第１の取付構造と、前記取付機構本体に対して前記セードが前記長手方向に所定の長さスライドし且つ前記取付機構本体を中心にして所定の角度回転するように前記取付機構本体に前記セードを可動可能に取付ける第２の取付構造とを備えており、
前記第２の取付構造は、前記セードの後方側に配置され、
前記セードの後方側外壁部とスライド可能に組み合わされるスライド部と前記取付機構本体に所定の角度範囲にわたって回動自在に保持される回動部とを有する機構収納ケースと、
前記機構収納ケース内に収納され、前記セードの前記後方側外壁部と前記機構収納ケースの前記スライド部との接触圧力を調整する接触圧力調整機構とを備えていることを特徴とする電気スタンド。
【請求項２】
前記接触圧力調整機構は、
前記セードの前記後方側外壁部に固定されて前記長手方向と平行な方向に延びるスライドレール部材と、
前記スライドレール部材とスライド可能に嵌合されたスライドホルダと、
前記スライドホルダを前記セードの後方側に引き付ける力を発生し、この力の調整が可能な引き付け力発生機構とからなることを特徴とする請求項１に記載の電気スタンド。
【請求項３】
前記取付機構本体は、前記機構収納ケースの前記回動部を回動可能に保持する機構収納ケース保持部と、前記機構収納ケース保持部と一体に設けられた首部とからなり、
前記第１の取付構造は、前記首部を所定の角度範囲内において回動し得るように保持する構造を有している請求項１に記載の電気スタンド。
【請求項４】
前記スライドレール部材は、前記セードの前記後方側外壁部と間隔を開けて対向する位置に形成されて前記長手方向と平行な方向にそれぞれ延びる一対の接触面と、前記一対の接触面よりも後方側に形成されて前記一対の接触面と厚み方向に対向する側面と、前記側面に開口し前記長手方向と平行な方向に延びる細長い凹部とを有しており、
前記スライドホルダは、前記一対の接触面と接触する一対の接触部と前記側面と対向する対向部と前記一対の接触部と前記対向部とを連結する一対の連結部とを具備し、且つ前記対向部の前記スライドレール部材に形成された前記細長い凹部と対向する位置に貫通孔を有しており、
前記引き付け力発生機構は、
前記細長い凹部に嵌合されて前記対向部と係合する頭部、前記貫通孔を貫通するロッド部及び前記ロッド部の前記頭部とは反対側の端部に形成された雄ねじ部とを有するロッド部材と、
前記接触圧力調整機構により前記セードの前記後方側外壁部と前記機構収納ケースの前記スライド部との接触圧力が低下しても前記後方側外壁部と前記スライド部とが大きく分離するのを抑制する分離抑制機構と、
少なくとも操作部が前記機構収納ケースの外部に回動可能に配置され且つ前記ロッド部材の前記雄ねじ部に螺合された雌ねじ部を備えた操作部材とから構成され、
前記分離抑制機構は、前記機構収納ケースの内部に設けられて前記ロッド部材が貫通する貫通孔を備えた隔壁部と、前記ロッド部の前記隔壁部よりも後方側で前記雄ねじ部よりも前方側の位置に配置されたストッパ部材と、前記隔壁部と前記ストッパ部材との間に圧縮された状態で配置されたスプリング部材とからなることを特徴とする請求項２に記載の電気スタンド。
【発明の詳細な説明】
【０００１】
【発明の属する技術分野】
本発明は、机等の被取付部に固定される電気スタンドに関するものである。
【０００２】
【従来の技術】
一般に電気スタンドは、机等の上に配置されるスタンド取付部と、このスタンド取付部に一端が取りつけられたアーム部材と、細長いランプを収納しアーム部材の他端に可動取付機構を介して取付けられたセードとを具備している。
【０００３】
【発明が解決しようとする課題】
この種の電気スタンドは、用途によっては机等の被取付部にスタンド取付部を固定するものがある。しかしながら、スタンド取付部が被取付部に固定されると、電気スタンドを所望の場所に移動できないため、ランプの長手方向における放射範囲が限定されてしまうという問題があった。
【０００４】
本発明の目的は、被取付部にスタンド取付部が固定されても、ランプの長手方向における放射範囲を広げることができる電気スタンドを提供することにある。
【０００５】
本発明の他の目的は、ランプを収納するセードを可動取付機構に対して長手方向に容易にスライドさせることができると共に、セードを可動取付機構に確実に固定できる電気スタンドを提供することにある。
【０００６】
本発明の他の目的は、セードと可動取付機構との接触圧力を弱めすぎても、セードと可動取付機構とが大きく分離するのを抑制することができる電気スタンドを提供することにある。
【０００７】
【課題を解決するための手段】
本発明の改良の対象とする電気スタンドは、机等の被取付部に固定されるスタンド取付部と、スタンド取付部に一端が可動可能に取りつけられたアーム部材と、細長いランプを収納し且つランプの長手方向に沿って延びてランプから放射された光を照射する開口部を備えてアーム部材の他端に可動取付機構を介して取付けられたセードとを具備している。なお、ここでいうセードとは、電気スタンドのランプを覆うまたは囲むカバー部材である。本発明では、可動取付機構が、取付機構本体と、該取付機構本体をアーム部材の他端に対して取付ける第１の取付構造と、取付機構本体に対してセードが長手方向に所定の長さスライドし且つ取付機構本体を中心にして所定の角度回転するように取付機構本体にセードを可動可能に取付ける第２の取付構造とを備えている。本発明によれば、セードが取付機構本体に対して長手方向にスライドし、しかも取付機構本体を中心にして回転する。そのため、スタンド取付部を被取付部に固定しても、ランプの長手方向における放射範囲を広げることができる。
【０００８】
前述の第２の取付構造は、セードの後方側に配置し、セードの後方側外壁部とスライド可能に組み合わされるスライド部と取付機構本体に所定の角度範囲にわたって回動自在に保持される回動部とを有する機構収納ケースと、機構収納ケース内に収納され、セードの後方側外壁部と機構収納ケースのスライド部との接触圧力を調整する接触圧力調整機構とを備えているように構成するのが好ましい。このような接触圧力調整機構を設ければ、接触圧力調整機構を調整してセードの後方側外壁部と第２の取付構造のスライド部との接触圧力を低くすることにより、スライド部に対してセードを容易にスライドさせることができる。そして、セードを取付機構本体に対して所望の位置に移動させたら、接触圧力調整機構を調整してセードの後方側外壁部と第２の取付構造のスライド部との接触圧力を高くすればよい。これにより、第２の取付構造のスライド部とセードとを強固に固定することができる。
【０００９】
接触圧力調整機構は、セードの後方側外壁部に固定されてランプの長手方向と平行な方向に延びるスライドレール部材と、スライドレール部材とスライド可能に嵌合されたスライドホルダと、スライドホルダをセードの後方側に引き付ける力を発生し、この力の調整が可能な引き付け力発生機構とから構成することができる。
【００１０】
【発明の実施の形態】
以下、図面を参照して本発明の実施の形態の電気スタンドを詳細に説明する。図１は、本実施の形態の電気スタンドの断面図であり、図２は、図１のII−II線断面図である。両図に示すように、この電気スタンドは、スタンド取付部１と、スタンド取付部１に一端が可動可能に取りつけられたアーム部材３と、アーム部材３の他端に可動取付機構５を介して取付けられたセード７とを具備している。なお、図１では、アーム部材３は、図示が省略されており、図１の１点鎖線に示す部分に図３に示すアーム部材３が配置されている。
【００１１】
スタンド取付部１は、螺子等の適宜な手段によって机等の被取付部に固定される構造を有しており、合成樹脂製のカバー１ａの内部に各種の電気機器が配置された構造を有している。スタンド取付部１からは電線コード１ｂが導出されており、後述するランプ９を点灯するスイッチ１ｃが上方に配置されている。また、スイッチ１ｃの下方には外部に接続可能なコンセント１ｄが配置されている。
【００１２】
アーム部材３は、図３に示すように、細長い角筒状の第１のアーム４と、第１のアーム４にスライド可能に嵌合される細長い角筒状の第２のアーム６とから構成されている。第２のアーム６は、適宜な手段により第１のアーム４に対して段階的にスライドする。これにより、アーム部材３は、長手方向に伸縮自在な構造を有している。第１のアーム４は一方の端部に半円筒状の取付部分４ａを有している。取付部分４ａは、その中心線４ｂを中心に所定の角度範囲で回転するようにスタンド取付部１内に配置されている。これにより、アーム部材３は、スタンド取付部１に対して可動可能に取付けられている。第２のアーム６は、第１のアーム４が位置する側と反対の端部に円筒状の取付部分６ａを有している。この取付部分６ａにより、アーム部材３の他端は、可動取付機構５に回動自在に取付けられている。
【００１３】
セード７は、図１及び図４に示すように、細長い蛍光ランプ９を内部に収納する箱形形状を有している。なお、図４はスタンド取付部１側からセード７及び可動取付機構５の一部を見た部分平面図である。セード７は、長手方向に対称的な形状を有しているので、図４では、長手方向のほぼ半部を省略して描いている。セード７は、合成樹脂製のセード本体１１とセード本体１１内に取付けられてランプ９の光を反射する金属製の反射板１３とを備えている。セード本体１１は、湾曲した上方側外壁部１１ａと、ランプ９の両端をそれぞれ取付ける一対の側方側外壁部１１ｂ，１１ｂと、可動取付機構５側に配置されたほぼ平板状の後方側外壁部１１ｃと、可動取付機構５と反対側の長手方向ほぼ中央に配置された把持部１１ｄとを有しており、一体に成形されている。後方側外壁部１１ｃの長手方向中央には、図示しない電線コードをセード７内に導入するコード導入孔１１ｃ1が形成されている。ランプ９の上方側外壁部１１ａが位置する側の反対側にはランプ９の長手方向に沿って延びてランプ９から放射された光を放射するほぼ長方形の開口部１１ｅが形成されている。なお、この例では、把持部１１ｄと一対の側方側外壁部１１ｂ，１１ｂとの間に開口部１１ｅを部分的に塞ぐ細長い透明板１５，１５が配置されている。
【００１４】
可動取付機構５は、取付機構本体１７と、取付機構本体１７をアーム部材３の他端に対して取付ける第１の取付構造１９と、取付機構本体１７にセード７を取付ける第２の取付構造２１とを備えている。取付機構本体１７は、後述する第２の取付構造２１の回動部２９を該回動部２９の中心線２９ｂを中心に回動可能に保持するほぼ円筒形の機構収納ケース保持部１７ａと、機構収納ケース保持部１７ａの基部が取付けられる首部１７ｂとを有しており、合成樹脂により一体に成形されている。
【００１５】
第１の取付構造１９は、取付機構本体１７の首部１７ｂを回動自在に保持するほぼ円筒形の首部保持部１９ａと、アーム部材３の第２のアーム６の取付部分６ａを保持し首部保持部１９ａの中心線１９ｂと直交する中心線１９ｃを有するほぼ円筒形のアーム保持部１９ｄとを有している。首部保持部１９ａは、中心線１９ｂを中心に取付機構本体１７が回動するように取付機構本体１７の首部１７ｂを保持している。また、アーム保持部１９ｄは、中心線１９ｃを中心に第１の取付構造１９が第２のアーム６に対して回動するように第２のアーム６の取付部分６ａを保持している。これにより、第１の取付構造１９は、取付機構本体１７の首部１７ｂをアーム部材３に対して所定の角度範囲内において回動し得るように構成されることになる。
【００１６】
第２の取付構造２１は、機構収納ケース２３と、機構収納ケース２３に主要部が収納される接触圧力調整機構２５とを有している。機構収納ケース２３は、スライド部２７と回動部２９とから構成されており、合成樹脂により一体に成形されている。スライド部２７は、図４及び図１の部分拡大図である図５に詳細に示すように、ほぼ台形状の上壁２７ａと、上壁２７ａと対向し該上壁２７ａとほぼ同形状を有する下壁２７ｂと、上壁２７ａと下壁２７ｂとを取付機構本体１７の両側で連結するほぼ矩形の一対の連結壁２７ｃ，２７ｃと、下壁２７ｂの長手方向ほぼ中央に連結されたスライド壁２７ｄとから構成されている。上壁２７ａ、下壁２７ｂ及び一対の連結壁２７ｃ，２７ｃの各端部は、セード７の後方側外壁部１１ｃと接触するように配置されている。これにより、第２の取付構造２１の端部はセード７の後方側外壁部１１ｃとほぼ環状に接触することになる。スライド壁２７ｄは、セード７の後方側外壁部１１ｃとスライド可能に該後方側外壁部１１ｃの下端部を囲むほぼコの字状の断面形状を有している。回動部２９は、取付機構本体１７に所定の角度範囲にわたって回動自在に保持されるほぼ円筒形を有しており、内部に後述するロッド部材３３ｂが貫通する貫通孔２９ａ１を備えた円環状の隔壁部２９ａを備えている。
【００１７】
接触圧力調整機構２５は、その主要部が機構収納ケース２３に収納されており、前述したセード７の後方側外壁部１１ｃと第２の取付構造２１のスライド部２７との接触圧力を調整する役割を果たしている。この接触圧力調整機構２５は、スライドレール部材３１と、被スライド部材３３と、操作部材３５とを有している。スライドレール部材３１は、セード７の後方側外壁部１１ｃに螺子３７により固定されており、合成樹脂により形成されている。より具体的には、スライドレール部材３１は、後方側外壁部１１ｃと間隔を開けて対向する位置に形成されてセード７の長手方向と平行な方向にそれぞれ延びる一対の接触面３１ａ，３１ａと、一対の接触面３１ａ，３１ａよりも後方側に形成されて一対の接触面３１ａ，３１ａと厚み方向に対向する側面３１ｂと、側面３１ｂに開口しセード７の長手方向と平行な方向に延びる細長い凹部３１ｃとを有している。被スライド部材３３は、スライドホルダ３３ａとロッド部材３３ｂとを有している。スライドホルダ３３ａは、金属板がプレス加工されて形成されており、スライドレール部材３１にスライド可能に嵌合されている。より具体的には、スライドホルダ３３ａは、スライドレール部材３１の一対の接触面３１ａ，３１ａと接触する一対の接触部３３ｃ，３３ｃと、スライドレール部材３１の側面３１ｂと対向する対向部３３ｄと、一対の接触部３３ｃ，３３ｃと対向部３３ｄとを連結する一対の連結部３３ｅ，３３ｅとを具備し、対向部３３ｄにはスライドレール部材３１に形成された凹部３１ｃと対向する位置に貫通孔３３ｆが形成されている。ロッド部材３３ｂは、金属ボルトにより形成されており、スライドレール部材３１の凹部３１ｃに嵌合されて対向部３３ｄと係合する頭部３３ｇと、スライドホルダ３３ａの貫通孔３３ｆを貫通するロッド部３３ｈと、ロッド部３３ｈの頭部３３ｇとは反対側の端部に形成された雄ねじ部３３ｉとを有している。操作部材３５は、少なくとも第２の取付構造２１の外部の固定位置に回動可能に配置された操作部３５ａと、ロッド部材３３ｈの雄ねじ部３３ｉに螺合された雌ねじ部３５ｂとを備えている。また、この接触圧力調整機構２５には、分離抑制機構２６が備えられている。分離抑制機構２６は、機構収納ケース２３の回動部２９の隔壁部２９ａよりも後方側でロッド部材３３ｂの雄ねじ部３３ｉよりも前方側の位置に固定されたストッパ部材２６ａと、隔壁部２９ａとストッパ部材２６ａとの間に圧縮された状態で配置されたスプリング部材２６ｂとから構成されており、接触圧力調整機構２５によってセード７の後方側外壁部１１ｃと第２の取付構造２１のスライド部２７との接触圧力を弱めすぎても、セード７とスライド部２７とが大きく分離するのを防ぐ役割を果たしている。本例では、ストッパ部材２６ａを雄ねじ部３３ｉに螺合させたナットにより構成したが、ストッパ部材２６ａは必ずしもロッド部材３３ｂに固定させる必要はなく、ロッド部材３３ｂに遊嵌されたワッシャ等により構成してもよい。本例では、ロッド部材３３ｂと、ストッパ部材２６ａと、スプリング部材２６ｂと、操作部材３５とにより引き付け力発生機構が構成されている。
【００１８】
次に、接触圧力調整機構２５を用いてセード７の後方側外壁部１１ｃと第２の取付構造２１のスライド部２７との接触圧力を調整して、セード７をスライドさせる方法を説明する。まず、操作部材３５の操作部３５ａを回して雌ねじ部３５ｂとロッド部材３３ｂの雄ねじ部３３ｉとの螺合を緩めて、ロッド部材３３ｂ及びスライドホルダ３３ａを介してスライドレール部材３１に固定されたセード７を第２の取付構造２１側から離れる方向に移動させて、セード７の後方側外壁部１１ｃと第２の取付構造２１のスライド部２７との接触圧力を低くする。これにより、スライド部２７に対してセード７が容易にスライドすると共にロッド部材３３ｂ及びスライドホルダ３３ａがスライドレール部材３１に対してスライドする。なお、誤って、後方側外壁部１１ｃとスライド部２７との接触圧力を弱めすぎても、分離抑制機構２６のスプリング部材２６ｂがストッパ部材２６ａ，ロッド部材３３ｂ及びスライドホルダ３３ａを介してセード７に固定されたスライドレール部材３１を第２の取付構造２１側に付勢するので、セード７とスライド部２７とが大きく分離するのを防ぐことができる。そのため、セード７が第２の取付構造２１の位置から下方に落下してセード７と第２の取付構造２１との間を延びる図示しない電線コードやセード７が損傷するのを防ぐことができる。次に、セード７をスライドさせて所望の位置に配置させたら、操作部材３５の操作部３５ａを回して雌ねじ部３５ｂとロッド部材３３ｂの雄ねじ部３３ｉとの螺合を締めて、ロッド部材３３ｂ及びスライドホルダ３３ａを介してスライドレール部材３１に固定されたセード７を第２の取付構造２１側に移動させて、後方側外壁部１１ｃとスライド部２７との接触圧力を高くする。これにより、可動取付機構５とセード７とが強固に固定する。
【００１９】
【発明の効果】
本発明によれば、セードが取付機構本体に対して長手方向にスライドし、しかも取付機構本体を中心にして回転する。そのため、被取付部にスタンド取付部が固定されても、ランプの長手方向における放射範囲を広げることができる。また、セードの後方側外壁部と第２の取付構造のスライド部との接触圧力を調整する接触圧力調整機構を備えているので、ランプを収納するセードを可動取付機構に対して長手方向に容易にスライドさせることができると共に、セードを可動取付機構に確実に固定できる。
【図面の簡単な説明】
【図１】  本発明の実施の形態の電気スタンドの断面図である。
【図２】  図１のII−II線断面図である。
【図３】  本発明の実施の形態の電気スタンドに用いるアーム部材の部分断面図である。
【図４】  スタンド取付部側からセード及び可動取付機構の一部を見た部分平面図である。
【図５】   図１の部分拡大図である。
【符号の説明】
１  スタンド取付部
３  アーム部材
５  可動取付機構
７  セード
９  ランプ
１１ｃ  後方側外壁部
１１ｅ  開口部
１７  取付機構本体
１７ａ  機構収納ケース保持部
１７ｂ  首部
１９  第１の取付構造
２１  第２の取付構造
２３  機構収納ケース
２５  接触圧力調整機構
２６  分離抑制機構
２７  スライド部
２９  回動部
３１  スライドレール部材
３３  被スライド部材
３３ａ  スライドホルダ
３３ｂ  ロッド部材
３５  操作部材
３５ａ  操作部
３５ｂ  雌ねじ部
【図１】
0004245744.tif 000002
【図２】
0004245744.tif 000003
【図３】
0004245744.tif 000004
【図４】
0004245744.tif 000005
【図５】
0004245744.tif 000006